(57)【要約】【課題】集積された中抜きシートを最下部シートから順に供給手段によって供給する際に最下部シートと最下部シート１より上面にあるシートとが打抜孔部の端縁近傍にて互いに交差したり衝突したりすることを回避して、打抜孔部の形状の変形やシートの破損やシート供給動作の支障の発生を防止することにある。【解決手段】シート供給台Ｔ上に上下方向に平らに集積した集積中抜きシートＡを、その最下部シート１から水平方向前方に順次１枚ずつ引き出して加工手段に供給する集積中抜きシート供給手段において、板状体を所定の曲率半径Ｒを以てＬ字型に屈曲させた垂直板部２１と水平板部２２と屈曲部２３とからなり、突き揃えた集積中抜きシートＡの打抜孔部２内に、前記屈曲部Ｒをシート引き出し方向上流側にして且つ水平板部２２を下方にして垂直方向に嵌入した昇降動作可能なシート持ち上げ治具Ｃを備えた。【選択図】図１
2004269092.tif 000002
【特許請求の範囲】
【請求項１】
シート領域の同一部分を同一形状に打ち抜きして打抜孔部を設けた複数枚の中抜きシートを突き揃え、シート供給台上に上下方向に平らに集積した集積中抜きシートを、その最下部シートから水平方向前方に順次１枚ずつ引き出して加工手段に供給する中抜きシート供給装置において、板状体を所定の曲率半径Ｒを以てＬ字型に屈曲させた垂直板部と水平板部と屈曲部とからなり、突き揃えた集積中抜きシートの打抜孔部内に、前記屈曲部をシート引き出し方向上流側にして且つ水平板部を下方にして垂直方向に嵌入した昇降動作可能なシート持ち上げ治具を備え、該治具の下降位置停止時に、水平方向前方に順次１枚ずつ引き出される前記最下部シートの打抜孔部の端縁を曲率半径Ｒの屈曲部及び水平板部下面に沿って引き出しながら、その最下部シートの打抜孔部の端縁と引き出される最下部シート上側の上部シートの打抜孔部の自由端部との整合する手前における該治具の上昇動作により、上部シートの打抜孔部の自由端部を持ち上げて、前記最下部シートの打抜孔部と上部シートの打抜孔部の互いの端部の当接を回避するようにしたことを特徴とする中抜きシート供給装置。
【発明の詳細な説明】
【０００１】
【発明の属する技術分野】
本発明は、シート面内領域の同一部分を同一形状に打ち抜きした打抜孔部を備えた複数枚の中抜きシートをシート供給台上に上下方向に平らに集積した集積中抜きシートを、その最下部シートから水平方向前方に順次１枚ずつ引き出して、製本丁合手段や製本用本文紙面などに貼り付けるシート貼り付け手段など適宜製本手段やシート加工手段に供給するための中抜きシート供給装置に関する。
【０００２】
【従来の技術】
一般に中抜きシートは、図３（ａ）の平面図に示すようにシート１の面内領域の一部を適宜形状パターンに打ち抜き形成した打抜孔部２を備えており、該シート１面には適宜に印刷表示３が施されていて、雑誌等の本の付録用の工作用シートなどに使用される。
【０００３】
図３（ｂ）に示すように、複数枚のシート１を突き揃えて水平に集積した後、該集積したシートの上方より打抜刃を下降動作させて、最上部から最下部のシートまで一括して打ち抜くことにより、シート１面内領域の同一部分を同一形状に打ち抜きした打抜孔部２を備えた複数枚の中抜きシートＡが形成される。
【０００４】
このようにして形成した中抜きシートＡは、最上部シート又は最下部シートから順に１枚ずつ引き出して、図３（ｃ）に示すように、例えば製本される本文Ｂのページシート４の綴部５など適宜位置に接着糊やステッチ（綴じ針金）などを用いて貼り込み使用される。
【０００５】
図４は、製本丁合機（又はシート貼込機）であり、矢印方向に送行するエンドレスギャザリングチェーン１１と該チェーンに等間隔に取り付けた押送爪１１ａと、ギャザリングチェーン１１の送行方向に沿って配設した供給台部１２及び本文Ｂのページシート４を１枚ずつ供給する供給台Ｔとエア吸着機能を備えたシート吸着引出手段１３を備えた１基乃至数基のページシート供給部（Ｉ）と、中抜きシートＡのシート１を１枚ずつ供給する供給台Ｔとエア吸着機能を備えたシート吸着引出手段１４を備えた１基乃至数基の中抜きシート供給部（ＩＩ）とを備えている。
【０００６】
前記ページシート供給部（Ｉ）では、シート吸着引出手段１３にて本文Ｂの最下部のページシート４下面を１枚ずつ吸着保持して前方に引き出し、その下部の適宜シート加工手段（例えば、ギャザリングチェーン１１の押送爪１１ａ、１１ａ間）に供給し、次の中抜きシート供給部（ＩＩ）では、シート吸着引出手段１４にて中抜きシートＡのシート１下面を吸着保持して前方に引き出し、その下部の適宜シート加工手段（例えば、送行するギャザリングチェーン１１の押送爪１１ａ、１１ａ間）に供給された前記ページシート４上に重ね合わせ供給する。
【０００７】
ところで、中抜きシート供給部（ＩＩ）にて供給される中抜きシートＡのシート１には打抜孔部２が形成されており、図５（ａ）に示すように打抜孔部２の形状パターンが、例えばＶ字型などの場合には、打抜孔部２内の端縁に孔部２内方に向かう突起形状や張出形状の自由端部１ａが形成され、また、自由端部１ａに対して中抜きシート供給部（ＩＩ）による中抜きシート供給方向（矢印）に対向して端縁部１ｂが形成される。
【０００８】
この自由端部１ａの先端は、図５（ｂ）に示すように、多少、下方に湾曲したりして変形する傾向があり、また変形が生じない場合でも、集積された中抜きシートＡの最下部シートから順にシート供給する方式では、図５（ｃ）に示すように、集積された中抜きシートＡのうち最下部シート１がシート供給時に供給部（ＩＩ）によって前方に引き出された際に、該最下部シート１の自由端部１ａ１  は該最下部シート１の上面にあるシート１の自由端部１ａとは分離するものの、最下部シート１より上面にあるシート１の自由端部１ａ先端と引き出された最下部シート１の端縁部１ｂ１  とが互いに交差したり衝突したりする場合があり、そのために、最下部シートと、その上面のシートとが引っ掛かり、中抜きシートＡの打抜孔部２の形状を変形させたり、シートの破損を生じたり、シート供給動作に支障を発生させたりする原因となっていた。
【０００９】
【発明が解決しようとする課題】
本発明の課題は、集積された中抜きシートを最下部シートから順に供給手段によって供給する際に、最下部シートと最下部シート１より上面にあるシートとが打抜孔部の端縁近傍にて互いに交差したり衝突したりすることを回避することにあり、打抜孔部の形状の変形や、シートの破損や、シート供給動作の支障の発生を防止することにある。
【００１０】
【課題を解決するための手段】
本発明は、図１、図２に示すように、シート１の領域の同一部分を同一形状に打ち抜きして打抜孔部２を設けた複数枚の中抜きシートを突き揃え、シート供給台Ｔ上に上下方向に平らに集積した集積中抜きシートＡを、その最下部シート１から水平方向前方に順次１枚ずつ引き出して加工手段に供給する中抜きシート供給装置において、板状体を所定の曲率半径Ｒを以てＬ字型に屈曲させた垂直板部２１と水平板部２２と屈曲部２３とからなり、突き揃えた集積中抜きシートＡの打抜孔部２内に、前記屈曲部Ｒをシート引き出し方向上流側にして且つ水平板部２２を下方にして垂直方向に嵌入した昇降動作可能なシート持ち上げ治具Ｃを備え、該治具Ｃの下降位置停止時に、水平方向前方に順次１枚ずつ引き出される前記最下部シート１の打抜孔部２の端縁１ｂ１  を曲率半径Ｒの屈曲部２３及び水平板部２２下面に沿って引き出しながら、その最下部シート１の打抜孔部２の端縁１ｂ１  と引き出される最下部シート１上側の上部シートの打抜孔部２の自由端部１ａとの整合する手前における該治具Ｃの上昇動作により、上部シート１の打抜孔部２の自由端部１ａを持ち上げて、前記最下部シート１の打抜孔部２と上部シート１の打抜孔部２の互いの端部の当接を回避するようにしたことを特徴とする中抜きシート供給装置である。
【００１１】
【発明の実施の形態】
本発明の中抜きシート供給装置を、図１、図２に示す実施の形態に沿って以下に詳細に説明する。
【００１２】
図１（ａ）は、本発明の中抜きシート供給装置を説明する斜視図であり、集積中抜きシートＡは、従来の技術の項にて説明したものと同様に、シート１の面内領域、又はシート１の端縁を含めて面内領域の同一部分を、同一形状に打ち抜きして打抜孔部２を設けた複数枚の中抜きシートを突き揃えて、平坦に集積したものである。
【００１３】
集積中抜きシートＡの各中抜きシート１には、図１（ａ）、及び図３（ａ）〜（ｂ）に示すように打抜孔部２が形成されており、集積中抜きシートＡは、最上部から最下部の中抜きシート１まで打抜孔部２が垂直方向に形成されている。
【００１４】
そして中抜きシート１に打ち抜き形成した打抜孔部２の形状パターンが、図５（ａ）に示すように、例えばＶ字型、Ｕ字型、Ｗ字型、Ｘ字型、Ｔ字型パターンなどのような形状パターンに打ち抜かれた場合には、その打抜孔部２内の端縁には、その孔部２の内方に向かう突起形状や張出形状の自由端部１ａが形成され、該自由端部１ａに対して中抜きシート供給部（ＩＩ）によるシート供給方向（矢印）に対向して端縁部１ｂが形成される。
【００１５】
本発明の中抜きシート供給装置は、従来の技術にて説明した図４に示す製本丁合機あるいはシート貼り込み機などに設置される中抜きシート供給部（ＩＩ）のシート供給台Ｔ上に、上記集積中抜きシートＡを上下方向に平らに集積して、シート吸着引出手段１４により、その最下部シート１から、水平方向前方に順次１枚ずつ引き出して、ギャザリングチェーン１１の押送爪１１ａ、１１ａ間など適宜シート加工手段に供給するようにしたものである。
【００１６】
本発明の中抜きシート供給装置は、前記集積中抜きシートＡをシート供給台Ｔ上に載置した上記中抜きシート供給手段のシート供給台Ｔの上方に、板状体をＬ字型に所定の曲率半径Ｒを以て屈曲させた垂直板部２１と水平板部２２と屈曲部２３とからなり、その垂直板部２１の上端部を支持するエアーシリンダーやカム・アンド・カムフォロアなどの直線的昇降駆動手段により駆動する昇降動作可能なシート持ち上げ治具Ｃを備えるものである。
【００１７】
なお、前記直線的昇降駆動手段本体は、供給台Ｔと平行な水平方向（Ｘ−Ｙ方向）面内にて適宜に移動調整できるように供給台Ｔの上方に一体的にネジ止めにて取り付けられていてもよいし、供給台Ｔの上方に一体的に取り付けた水平移動駆動手段を介して取り付けられていてもよい。
【００１８】
該シート持ち上げ治具Ｃは、図１（ａ）及び（ｂ）の側断面図に示すように、前記屈曲部２３をシート引き出し方向（矢印ｆの方向）に対して上流側にして、且つ水平板部２２を下方にして、下降動作により突き揃えた集積中抜きシートＡの打抜孔部２内に垂直方向に嵌入し、該治具Ｃの水平板部２２の下面が供給台Ｔ上面に接触するようにして停止させる。
【００１９】
その後、該治具Ｃを、垂直板部２１の垂直状態を維持した状態で、その水平板部２２が、図１（ｂ）及び図２（ａ）の斜視図に示すように、集積中抜きシートＡの最下部シート１の打抜孔部２の自由端部１ａと供給台Ｔとの間に進入するように移動させて位置決め固定する。
【００２０】
本発明の中抜きシート供給装置は、集積中抜きシートＡの最下部にある中抜きシートから順に、その上面の中抜きシートの下面に対してスライドさせながら前方に引き出してシート供給する方式の中抜きシート供給装置であり、エアーシリンダーや、カム・アンド・カムフォロアなどの直線的昇降駆動手段により駆動する昇降動作可能なシート持ち上げ治具Ｃを搭載している。
【００２１】
本発明の中抜きシート供給装置は、最下部にある中抜きシートから順に、中抜きシートを引き出してシート加工手段に供給する際において、その最下部の中抜きシートに形成された打抜孔部２内のシート供給方向の上流側にある端縁が最下部の中抜きシートより上面側にある中抜きシートの打抜孔部２内の自由端部１ａと交差したり引っ掛かったりして、シート供給に支障を生じないように、その自由端部１ａをシート持ち上げ治具Ｃによって僅かに持ち上げることにより、中抜きシートの供給を円滑に行うものである。
【００２２】
本発明の中抜きシート供給装置におけるシート持ち上げ治具Ｃの動作を、図１（ａ）〜（ｂ）及び図２（ａ）〜（ｃ）に基づいて説明する。なお、図２中の集積中抜きトートＡは、最下部の中抜きシート１及びそれより上部にある１、２枚の中抜きシート１に関して図示し、それより上部にある中抜きシート１は図示を省略した。
【００２３】
まず、図１（ａ）に示すように、集積中抜きシート供給装置のシート持ち上げ治具Ｃを、昇降駆動手段（図示せず）により供給台Ｔ面上に下降動作させながら集積中抜きシートＡの打抜孔部２内に嵌挿して停止させた後、該昇降駆動手段を水平方向に移動可能に取り付けたネジを緩めて（又は昇降駆動手段を水平方向に移動可能に取り付けた水平移動駆動手段（図示せず）により）、シート持ち上げ治具Ｃを水平方向に移動させ、図１（ｂ）及び図２（ａ）の斜視図に示すように集積中抜きシートＡの最下部にある中抜きシート１に形成された打抜孔部２内の自由端部１ａと供給台Ｔとの間に、シート持ち上げ治具Ｃの水平板部２２を進入させて位置決め固定する。
【００２４】
続いて、図２（ｂ）の斜視図に示すように、昇降駆動手段によりシート持ち上げ治具Ｃを、その水平板部２２の下面と供給台Ｔ上面との間に中抜きシート１が抵抗なく通過できる隙間が形成されるように僅かに上昇させて停止させ、集積中抜きシートＡの最下部の中抜きシート１の打抜孔部２内に形成された自由端部１ａのシート下面から上側の自由端部１ａを該治具Ｃの水平板部２２によって持ち上げる。
【００２５】
続いて、シート供給装置の中抜きシート供給部（ＩＩ）（図４参照）のシート吸着引出手段１４により、図２（ｂ）に示すように最下部の中抜きシート１から順に供給方向ｆに引き出す。
【００２６】
引き出された最下部の中抜きシート１は、図２（ｃ）に示すように、その打抜孔部２内の供給方向ｆ上流側の端縁１ｂ１  が、シート持ち上げ治具Ｃの曲率半径Ｒのスライド曲面を有する屈曲部２３の裏面に沿って、水平板部２２下面にもぐり込むように導入されて、水平板部２２下面と供給台Ｔとの間を通過するとともに、シート持ち上げ治具Ｃによって持ち上げられている最下部の該中抜きシート１の自由端部１ａ１  は、該治具Ｃの水平板部２２上面に沿って引き出され、前記端縁１ｂ１  は、引き出された最下部の中抜きシート１より上面にある中抜きシート１の打抜孔部２内にある治具Ｃの水平板部２２の上面によって持ち上げられている自由端部１ａとは接触せずに、また交差や引っ掛かりせずに、円滑に引き出される。
【００２７】
このようにして、集積中抜きシートＡの最下部にある中抜きシート１の打抜孔部２内の端縁と、それより上面にある中抜きシート１の打抜孔部２の端縁とは、その接触や当接を回避した状態で交差や引っ掛かりせずに、１枚ずつ順次シート加工手段側に引き出すことができる。
【００２８】
【発明の効果】
本発明の中抜きシート供給装置は、中抜きシートを集積した集積中抜きシートの打抜孔部の内部に嵌入して、最下部の中抜きシートの打抜孔部内にある自由端部の下面を持ち上げるシート持ち上げ治具を搭載したので、集積した中抜きシートを、その最下部の中抜きシートから順に１枚ずつ供給装置によってシート加工手段側に供給する際に、最下部の中抜きシートの打抜孔部内にある自由端部の下面を持ち上げることによって、最下部の中抜きシートと、そのシートより上面にある中抜きシートとが打抜孔部の端縁近傍にて互いに交差したり衝突したりすることを回避させることができ、交差したり衝突したりすることによる中抜きシートの打抜孔部の形状の変形を防止したり、シートの破損の発生の防止やシート供給動作の支障の発生を防止する効果があり、本発明の中抜きシート供給装置は、雑誌等の本の付録用の工作用シート等として使用される中抜きシートを、製本丁合機やシート貼込機などをはじめとして各種シート加工手段に供給する際の供給装置として利用展開できるものである。
【図面の簡単な説明】
【図１】（ａ）は本発明の中抜きシート供給装置の全体斜視図、（ｂ）はその部分側断面図。
【図２】（ａ）〜（ｂ）は本発明の中抜きシート供給装置による中抜きシートの取扱い動作を説明する部分斜視図、（ｃ）はその部分側断面図。
【図３】（ａ）は一般的な中抜きシートの平面図、（ｂ）は中抜きシートを集積した一般的な集積中抜きシートの斜視図、（ｃ）は一般的な中抜きシートを本文に貼り込む説明図。
【図４】一般的な製本丁合機又はシート貼込機における中抜きシート供給装置及びシート加工手段を説明する概略全体斜視図。
【図５】（ａ）〜（ｃ）は従来の中抜きシート供給方法を説明する部分斜視図。
【符号の説明】
Ａ…集積中抜きシート  Ｂ…本文シート  Ｃ…シート持ち上げ治具
Ｔ…シート供給台
１…中抜きシート  ２…打抜孔部  ３…印刷表示部  ４…本文ページシート
１１…ギャザリングチェーン  １１ａ…押送爪  １２…載置台
１３、１４…シート吸着引出手段
２１…垂直板部  ２２…水平板部  ２３…屈曲部
【図１】
2004269092.tif 000003
【図２】
2004269092.tif 000004
【図３】
2004269092.tif 000005
【図４】
2004269092.tif 000006
【図５】
2004269092.tif 000007